(57)【要約】【課題】噴霧パターンの形状をより正確に略円錐形状とし、噴霧粒子を細かくソフトな噴霧を実現すること。【解決手段】噴霧容器に接続する噴霧機構1であって、その噴口部16に略有底筒体形状の噴口チップ10を嵌合する。この噴口チップ10は、その底面部である前方端面10fの略中央部に噴口11が穿設され、その噴口11の後方側の開口部10hを前記噴霧機構1の噴口部16に向って嵌合する。この噴口チップ10の前方端面10fの内壁に、又は、この噴口チップ10の前方端面10fの内壁に対向する噴霧機構1の噴口部16の前端面に、放射状又は螺旋状の溝12を複数設け、当該複数の溝12の中心部側には前記複数の溝12が集中する凹所13を形成し、この凹所13の略中心に前記噴口チップ10の噴口11が位置する。前記溝12の中心部側端部は、前記凹所13の中心に向かわずに周方向にずれており、これらの溝12を８本形成する。【選択図】図１
2018058063.tif 000002
【特許請求の範囲】
【請求項１】
噴霧容器の上端部に設けられた噴霧用ステムに接続する噴霧機構であって、当該噴霧機構の内部には流通路が設けられ、この流通路の入口部が前記噴霧用ステムに接続し、この流通路の出口部が噴口部を成す噴霧機構において、
前記噴口部に略有底筒体形状の噴口チップを嵌合することができ、
この噴口チップは、その底面部である前端面の略中央部に噴口が穿設され、その噴口の反対側の開口部を前記噴霧機構の噴口部に向って嵌合することができ、
この噴口チップの底面部の内壁に、又は、この噴口チップの底面部の内壁に対向する噴霧機構の噴口部前端面に、放射状又は螺旋状の溝を複数設け、
当該複数の溝の中心部側には前記複数の溝が集中する凹所が形成され、
この凹所の略中心に前記噴口チップの噴口が位置し、
前記溝の中心部側端部は、前記凹所の中心に向かわずに周方向にずれており、
更に前記溝が６本以上形成されていることを特徴とする噴霧機構の噴口部構造。
【請求項２】
噴霧容器の上端部に設けられた噴霧用ステムに接続する噴霧機構であって、当該噴霧機構の内部には流通路が設けられ、この流通路の入口部が前記噴霧用ステムに接続し、この流通路の出口部が噴口部を成す噴霧機構において、
前記噴口部は略円柱形状の孔部からなり、この孔部に略有底筒体形状の噴口チップとこの噴口チップの内部に内蔵された第２噴口チップを嵌合することができ、
この噴口チップにはその底面部である前端面の略中央部に噴口が穿設され、
この噴口チップの底面部の内壁に、又は、この噴口チップの底面部の内壁に対向する第２噴口チップの前端面に、放射状又は螺旋状の溝を複数設け、
当該複数の溝の中心部側には前記複数の溝が集中する凹所が形成され、
この凹所の略中心に前記噴口チップの噴口が位置し、
前記溝の中心部側端部は、前記凹所の中心に向かわずに周方向にずれており、
更に前記溝が６本以上形成されていることを特徴とする噴霧機構の噴口部構造。
【請求項３】
前記第２噴口チップの後端面にもその前端面に設けた溝と同様の溝を同数設けたことを特徴とする請求項２に記載の噴霧機構の噴口部構造。
【請求項４】
前記溝がぞれぞれの面に８本形成されていることを特徴とする請求項１乃至３の何れか１項に記載の噴霧機構の噴口部構造。
【請求項５】
前記第２噴口チップの溝が設けられた前端面と反対側の後端面の略中央部から前端面側に向って孔部を形成し、この孔部と噴霧機構の流通路の出口が対面していることを特徴とする請求項２乃至４の何れか１項に記載の噴霧機構の噴口部構造。
【請求項６】
噴霧容器の上端部に設けられた噴霧用ステムに接続する噴霧機構であって、当該噴霧機構の内部には流通路が設けられ、この流通路の入口部が前記噴霧用ステムに接続し、この流通路の出口部が噴口部を成す噴霧機構において、
前記噴口部に略有底筒体形状の噴口チップを嵌合することができ、
この噴口チップは、その底面部である前端面の略中央部に噴口が穿設され、その噴口の反対側の開口部を前記噴霧機構の噴口部に向って嵌合することができ、
この噴口チップの底面部の内壁に、又は、この噴口チップの底面部の内壁に対向する噴霧機構の噴口部前端面に、放射状又は螺旋状の溝を複数設け、
当該複数の溝の中心部側には前記複数の溝が集中する凹所が形成され、
この凹所の略中心に前記噴口チップの噴口が位置し、
前記溝の中心部側端部は、前記凹所の中心に向かわずに周方向にずれており、
更に、前記噴口チップの内周側面、又は、前記噴霧機構の噴口部の外周側面の長手方向に複数の溝条部を形成し、
当該溝条部の溝幅が前記噴口チップの底面部の内壁又は噴霧機構の噴口部前端面に設けた溝の溝幅よりも小さく形成してフィルター機能を付加したことを特徴とする噴霧機構の噴口部構造。
【請求項７】
噴霧容器の上端部に設けられた噴霧用ステムに接続する噴霧機構であって、当該噴霧機構の内部には流通路が設けられ、この流通路の入口部が前記噴霧用ステムに接続し、この流通路の出口部が噴口部を成す噴霧機構において、
前記噴口部は略円柱形状の孔部からなり、この孔部に略有底筒体形状の噴口チップとこの噴口チップの内部に内蔵された第２噴口チップを嵌合することができ、
この噴口チップにはその底面部である前端面の略中央部に噴口が穿設され、
この噴口チップの底面部の内壁に、又は、この噴口チップの底面部の内壁に対向する第２噴口チップの前端面に、放射状又は螺旋状の溝を複数設け、
当該複数の溝の中心部側には前記複数の溝が集中する凹所が形成され、
この凹所の略中心に前記噴口チップの噴口が位置し、
前記溝の中心部側端部は、前記凹所の中心に向かわずに周方向にずれており、
更に、前記噴口チップの内周側面、又は、前記第２噴口チップの外周側面の長手方向に複数の溝条部を形成し、
当該溝条部の溝幅が前記噴口チップの底面部の内壁又は第２噴口チップの前端面に設けた溝の溝幅よりも小さく形成してフィルター機能を付加したことを特徴とする噴霧機構の噴口部構造。
【請求項８】
前記第２噴口チップの後端面にもその前端面に設けた溝と同様の溝を同数設けたことを特徴とする請求項７に記載の噴霧機構の噴口部構造。
【請求項９】
前記溝がそれぞれの面に８本、前記溝条部がそれぞれの面に８本以上形成されていることを特徴とする請求項６乃至８の何れか１項に記載の噴霧機構の噴口部構造。
【発明の詳細な説明】
【技術分野】
【０００１】
本発明は、エアゾール容器やポンプ式噴霧容器の上端部に設けられた噴霧用ステムに連結され、容器内の内容液を噴霧させるための噴霧機構の噴口部構造の改良に関する。
【背景技術】
【０００２】
従来よりエアゾール容器やポンプ式噴霧容器から内容液を噴霧させる場合、それらの容器の上端部に設けられているバルブステムやポンプステム等の噴霧用ステムに各種タイプの噴霧機構が連結され、当該噴霧機構の噴口部から内容液が外界に噴霧される。
この噴口部の構造については、各種のものが存在する。
【０００３】
下記特許文献１に記載の発明は、噴射角を広狭に調整可能で、且つ部品点数が少なく、その組み立てが容易で安価な噴射パターン可変ヘッドを提供することをその課題とする。
その構成は、内容物が通過する複数の放射状流路が形成された旋回面と、該旋回面に対向する平面との相対距離を変更することによって、内容物の噴射拡散角度を調節することのできる噴射パターン可変ヘッドである。
【０００４】
即ち、円筒状の溝部及び該溝部内に同心状の円筒部を備え、内容物が収容された容器に結合されるヘッド本体と、前記円筒状の溝部に結合される中空の円筒部を備えた噴口部材と、前記噴口部材を回動することによって前記放射状流路が形成された旋回面と、該旋回面に対向する前記ヘッド本体の前記円筒部の先端平面との相対距離を可変することにより上記課題を解決する。
【０００５】
下記特許文献２に記載の噴射装置は、噴霧パターンが大きく、かつ噴霧パターン内での噴射密度が均一で小さく、噴霧粒子も小さく、噴射をマイルドにする噴射装置を提供することを課題とする。
その構成は、噴口が開口した噴口チップと噴口チップを装着するハウジングを有し、ハウジング内に流入した流体を噴口から噴射する噴射装置が、噴口チップの内壁に、外周より噴口に向う旋回流を形成する複数の溝と、それらの溝が合流して噴口に至る合流部を有する。溝深さが噴口チップの外周部に対して合流部側が深くなるように溝底面が傾斜し、溝の形成面が噴口の中心線に対して垂直な平面である。ハウジングは、溝の形成面に当接するセンターポストを有している。
【先行技術文献】
【特許文献】
【０００６】
【特許文献１】特開２００６−１５２９９号公報
【特許文献２】特開２０１１−１４７９２０号公報
【発明の概要】
【発明が解決しようとする課題】
【０００７】
本願発明においても、その基本的な課題は、上記従来の発明と同じであるが、その効果をより向上させることをその課題とする。
即ち、噴霧パターンを大きくするというよりも、その噴霧パターンをより確実な形状とすること。つまり、その噴霧パターンをその噴射方向横断面形状をより円形に近いものとすること。噴霧粒子の密度をより均一とし、その粒子も細かくソフトな噴霧を実現することをその課題とするものである。
尚、従来の噴口部構造においては、噴口手前の流路に設けられている略放射状又は略螺旋状の溝の数は、通常３本又は４本である。
【課題を解決するための手段】
【０００８】
上記課題を解決するために、本発明の第１のものは、噴霧容器の上端部に設けられた噴霧用ステムに接続する噴霧機構であって、当該噴霧機構の内部には流通路が設けられ、この流通路の入口部が前記噴霧用ステムに接続し、この流通路の出口部が噴口部を成す噴霧機構において、前記噴口部に略有底筒体形状の噴口チップを嵌合することができ、この噴口チップは、その底面部である前端面の略中央部に噴口が穿設され、その噴口の反対側の開口部を前記噴霧機構の噴口部に向って嵌合することができ、この噴口チップの底面部の内壁に、又は、この噴口チップの底面部の内壁に対向する噴霧機構の噴口部前端面に、放射状又は螺旋状の溝を複数設け、当該複数の溝の中心部側には前記複数の溝が集中する凹所が形成され、この凹所の略中心に前記噴口チップの噴口が位置し、
前記溝の中心部側端部は、前記凹所の中心に向かわずに周方向にずれており、更に前記溝が６本以上形成されていることを特徴とする噴霧機構の噴口部構造である。
【０００９】
本発明の第２のものは、噴霧容器の上端部に設けられた噴霧用ステムに接続する噴霧機構であって、当該噴霧機構の内部には流通路が設けられ、この流通路の入口部が前記噴霧用ステムに接続し、この流通路の出口部が噴口部を成す噴霧機構において、前記噴口部は略円柱形状の孔部からなり、この孔部に略有底筒体形状の噴口チップとこの噴口チップの内部に内蔵された第２噴口チップを嵌合することができ、この噴口チップにはその底面部である前端面の略中央部に噴口が穿設され、この噴口チップの底面部の内壁に、又は、この噴口チップの底面部の内壁に対向する第２噴口チップの前端面に、放射状又は螺旋状の溝を複数設け、当該複数の溝の中心部側には前記複数の溝が集中する凹所が形成され、この凹所の略中心に前記噴口チップの噴口が位置し、前記溝の中心部側端部は、前記凹所の中心に向かわずに周方向にずれており、更に前記溝が６本以上形成されていることを特徴とする噴霧機構の噴口部構造である。
【００１０】
本発明の第３のものは、上記第２の発明において、前記第２噴口チップの後端面にもその前端面に設けた溝と同様の溝を同数設けたことを特徴とする噴霧機構の噴口部構造である。
【００１１】
本発明の第４のものは、上記第１乃至第３の発明において、前記溝がぞれぞれの面に８本形成されていることを特徴とする噴霧機構の噴口部構造である。
【００１２】
本発明の第５のものは、上記第２乃至第４の発明において、前記第２噴口チップの溝が設けられた前端面と反対側の後端面の略中央部から前端面側に向って孔部を形成し、この孔部と噴霧機構の流通路の出口が対面していることを特徴とする噴霧機構の噴口部構造である。
【００１３】
本発明の第６のものは、噴霧容器の上端部に設けられた噴霧用ステムに接続する噴霧機構であって、当該噴霧機構の内部には流通路が設けられ、この流通路の入口部が前記噴霧用ステムに接続し、この流通路の出口部が噴口部を成す噴霧機構において、前記噴口部に略有底筒体形状の噴口チップを嵌合することができ、この噴口チップは、その底面部である前端面の略中央部に噴口が穿設され、その噴口の反対側の開口部を前記噴霧機構の噴口部に向って嵌合することができ、この噴口チップの底面部の内壁に、又は、この噴口チップの底面部の内壁に対向する噴霧機構の噴口部前端面に、放射状又は螺旋状の溝を複数設け、当該複数の溝の中心部側には前記複数の溝が集中する凹所が形成され、この凹所の略中心に前記噴口チップの噴口が位置し、前記溝の中心部側端部は、前記凹所の中心に向かわずに周方向にずれており、更に、前記噴口チップの内周壁面、又は、前記噴霧機構の噴口部の外周側面の長手方向に複数の溝条部を形成し、当該溝条部の溝幅が前記噴口チップの底面部の内壁又は噴霧機構の噴口部前端面に設けた溝の溝幅よりも小さく形成してフィルター機能を付加したことを特徴とする噴霧機構の噴口部構造である。
【００１４】
本発明の第７のものは、噴霧容器の上端部に設けられた噴霧用ステムに接続する噴霧機構であって、当該噴霧機構の内部には流通路が設けられ、この流通路の入口部が前記噴霧用ステムに接続し、この流通路の出口部が噴口部を成す噴霧機構において、前記噴口部は略円柱形状の孔部からなり、この孔部に略有底筒体形状の噴口チップとこの噴口チップの内部に内蔵された第２噴口チップを嵌合することができ、この噴口チップにはその底面部である前端面の略中央部に噴口が穿設され、この噴口チップの底面部の内壁に、又は、この噴口チップの底面部の内壁に対向する第２噴口チップの前端面に、放射状又は螺旋状の溝を複数設け、当該複数の溝の中心部側には前記複数の溝が集中する凹所が形成され、この凹所の略中心に前記噴口チップの噴口が位置し、前記溝の中心部側端部は、前記凹所の中心に向かわずに周方向にずれており、更に、前記噴口チップの内周壁面、又は、前記第２噴口チップの外周側面の長手方向に複数の溝条部を形成し、当該溝条部の溝幅が前記噴口チップの底面部の内壁又は第２噴口チップの前端面に設けた溝の溝幅よりも小さく形成してフィルター機能を付加したことを特徴とする噴霧機構の噴口部構造である。
【００１５】
本発明の第８のものは、上記第７の発明において、前記第２噴口チップの後端面にもその前端面に設けた溝と同様の溝を同数設けたことを特徴とする噴霧機構の噴口部構造である。
【００１６】
本発明の第９のものは、上記第６乃至第８の発明において、前記溝がそれぞれの面に８本、前記溝条部がそれぞれの面に８本以上形成されていることを特徴とする請求項６乃至８の何れか１項に記載の噴霧機構の噴口部構造である。
【発明の効果】
【００１７】
本発明の第１のものにおいては、噴口チップの底面部の内壁に、又は、この噴口チップの底面部の内壁に対向する噴霧機構の噴口部前端面に、放射状又は螺旋状の溝を複数設け、当該複数の溝の中心部側には前記複数の溝が集中する凹所が形成され、この凹所の略中心に前記噴口チップの噴口が位置し、前記溝の中心部側端部は、前記凹所の中心に向かわずに周方向にずれており、更に前記溝が６本以上形成されていることを特徴とする。
【００１８】
上記６本以上の複数の溝により、噴口から外界に噴霧される内容液は、前記多数の溝の向きに従ってより正確に螺旋状に噴霧され、その噴霧パターンが噴口から噴霧方向に向かってより正確な円錐形状となるのである。
即ち、その噴霧パターンの横断面形状が、従来のものにおいては、それが歪んでいたり、その一部が欠けていたりして真円にならなかったのであるが、本発明においては、より真円に近いパターンを形成させることができたのである。
他方、噴射量や噴霧される粒子径に関しても、後の実験結果でも示すが、適切な噴射量とより細かい粒子径による噴霧が可能となった。
【００１９】
本発明の第２のものにおいては、上記略有底筒体形状を有する噴口チップの内部に第２噴口チップを内蔵させたものである。
即ち、噴霧機構の噴口部は略円柱形状の孔部からなり、この孔部内に上記噴口チップ及び第２噴口チップが嵌合する。
そして、噴口チップの前端面の内壁に、又は、上記第２噴口チップの前端面に放射状又は螺旋状の溝を設けて上記第１の発明と同様の効果を発揮させることができる。
このように、噴口チップは、上記第１発明のワンピースのものとして、或いは、本第２発明の如きツーピースのものとしても実施することができる。
【００２０】
本発明の第３のものにおいては、前記第２噴口チップの後端面にもその前端面に設けた溝と同様の溝を同数設けたことを特定したものであり、これにより噴口から噴霧される前に内容物を螺旋噴射させるための助走期間を長くとることができ、より噴霧パターンを適切に略円錐形状とすることができる。
この効果は、噴口チップをツーピースとし、第２噴口チップを介在させたことによって生じる効果となる。
【００２１】
本発明の第４のものにおいては、前記溝がぞれぞれの面に８本形成されていることを限定したものである。
その効果は、噴霧パターンをより適切に正確な円錐形状とすることができることである。
【００２２】
本発明の第５のものにおいては、上記第２乃至第４の発明において、前記第２噴口チップの溝が設けられた前端面と反対側の後端端面の略中央部から前端面側に向って孔部を形成し、この孔部を噴霧機構の流通路の出口に対面させたものである。
この孔部の存在により、内容液は、一度この孔部内に貯留した後に流通路を通って外界に噴霧されることとなるために、より正確な略円錐形状の噴霧パターンをもつ噴霧を可能とし、更によりソフトな噴霧を実現させることができるものである。
【００２３】
本発明の第６のものにおいては、上記第１の発明に係る噴口チップの内周側面、又は噴霧機構の噴口部の外周側面の長手方向に複数の溝条部を形成し、この溝条部の溝幅を上記噴口チップの底面部の内壁又は噴霧機構の噴口部前端面に設けた溝の溝幅よりも小さく形成して、この溝条部をフィルターの機能を付加したものである。
【００２４】
本発明の第７のものにおいては、上記第２の発明に係るツーピースからなる噴口チップにおいて、噴口チップの内周側面、又は、前記第２噴口チップの外周側面の長手方向に複数の溝条部を形成し、その溝条部の溝幅が前記噴口チップの底面部の内壁又は第２噴口チップの前端面に設けた溝の溝幅よりも小さく形成してフィルター機能を付加したものである。
【００２５】
本発明の第８のものにおいては、上記第７の発明において、前記第２噴口チップの後端面にもその前端面に設けた溝と同様の溝を同数設けたことを限定したものであり、その効果は上記第３の発明と同じである。
【００２６】
本発明の第９のものにおいては、上記第４の発明と同様に、前記溝がそれぞれの面に８本、前記溝条部がそれぞれの面に８本以上形成されていることを限定したものである。
このように、８本以上設けることにより噴霧される内容液はより正確な円錐形状の噴霧パターンを実現することとなり、フィルター機能も付加されて、より細かい粒子径の噴霧を行うことができることとなるのである。
【図面の簡単な説明】
【００２７】
【図１】本発明の噴霧機構の噴口部構造に係る一実施形態を示しており、その（Ａ）が噴霧機構である噴霧ボタンの全体縦断面図、その（Ｂ）が噴口チップの縦断面図、その（Ｃ）が（Ｂ）図の右側面図（噴口裏面側からみた図）である。
【図２】従来の噴霧機構を図示しており、その（Ａ）が噴霧機構である噴霧ボタンの全体縦断面図、その（Ｂ）が噴口チップの縦断面図、その（Ｃ）が（Ｂ）図の右側面図（噴口裏面側からみた図）である。
【図３】比較例としての噴霧機構を図示しており、その（Ａ）が噴霧機構である噴霧ボタンの全体縦断面図、その（Ｂ）が噴口チップの縦断面図、その（Ｃ）が（Ｂ）図のＣ−Ｃ線断面図である。
【図４】本発明の噴口部構造に係る第２実施形態を示しており、その（Ａ）が噴霧機構の全体縦断面図、その（Ｂ）が噴口チップを取り除いた状態の噴霧ボタンの正面図、その（Ｃ）が噴口チップの縦断面図、その（Ｄ）が（Ｃ）図の右側面図である。
【図５】本発明の噴口部構造に係る第３実施形態を示しており、その（Ａ）が噴霧機構の全体縦断面図、その（Ｂ）が噴口チップの上部切欠斜視図、その（Ｃ）が噴口チップの縦断面図、その（Ｄ）が（Ｃ）図の右側面図である。
【図６】本発明の噴口部構造に係る第４実施形態を示しており、その（Ａ）が噴霧ボタンの一部切欠斜視図、その（Ｂ）が噴口チップの縦断面図、その（Ｃ）が（Ｂ）図の右側面図である。
【図７】本発明の噴口部構造に係る第５実施形態を示しており、その（Ａ）が噴霧ボタンの正面図、その（Ｂ）が噴口チップの縦断面図、その（Ｃ）が（Ｂ）図の右側面図である。
【図８】本発明の噴口部構造に係る第６実施形態を示しており、その（Ａ）が噴霧ボタンの正面図、その（Ｂ）が噴口チップの縦断面図、その（Ｃ）が（Ｂ）図の右側面図である。
【図９】本発明の噴口部構造に係る第７実施形態を示し、そのその（Ａ）が噴霧機構の縦断面図、その（Ｂ）が噴口チップの縦断面図、その（Ｃ）が（Ｂ）図の右側面図である。
【図１０】本発明の噴口部構造に係る第８実施形態を示しており、その（Ａ）が噴霧ボタンの正面図、その（Ｂ）が噴口チップの縦断面図、その（Ｃ）が（Ｂ）図の右側面図である。
【図１１】本発明の噴口部構造に係る第９実施形態を示しており、その（Ａ）が噴霧機構の分解図、その（Ｂ）が縦断面図、その（Ｃ）が噴口チップの正面図、その（Ｄ）が縦断面図、その（Ｅ）が背面図、その（Ｆ）が第２噴口チップの正面図、その（Ｇ）が側面図、その（Ｈ）が背面図である。
【図１２】本発明の噴口部構造に係る第１０実施形態を示しており、その（Ａ）が噴霧機構の分解図、その（Ｂ）が縦断面図、その（Ｃ）が噴口チップの正面図、その（Ｄ）が縦断面図、その（Ｅ）が背面図、その（Ｆ）が第２噴口チップの正面図、その（Ｇ）が側面図、その（Ｈ）が背面図である。
【図１３】本発明の噴口部構造に係る第１１実施形態を示しており、その（Ａ）が噴霧機構の分解図、その（Ｂ）が縦断面図、その（Ｃ）が噴口チップの正面図、その（Ｄ）が縦断面図、その（Ｅ）が背面図、その（Ｆ）が第２噴口チップの正面図、その（Ｇ）が側面図、その（Ｈ）が背面図である。
【図１４】本発明の噴口部構造に係る第１２実施形態を示しており、その（Ａ）が噴霧機構の分解図、その（Ｂ）が縦断面図、その（Ｃ）が噴口チップの正面図、その（Ｄ）が縦断面図、その（Ｅ）が背面図、その（Ｆ）が第２噴口チップの正面図、その（Ｇ）が側面図、その（Ｈ）が背面図である。
【図１５】本発明の噴口部構造に係る第１３実施形態を示しており、その（Ａ）が噴霧機構の分解図、その（Ｂ）が縦断面図、その（Ｃ）が噴口チップの正面図、その（Ｄ）が縦断面図、その（Ｅ）が背面図、その（Ｆ）が第２噴口チップの正面図、その（Ｇ）が側面図、その（Ｈ）が背面図である。
【図１６】本発明に係る噴口チップの他の実施形態を示しており、その（Ａ）が噴口チップの正面図、その（Ｂ）が縦断面図、その（Ｃ）が背面図、その（Ｄ）が第２噴口チップの正面図、その（Ｅ）が側面図、その（Ｆ）が背面図である。
【図１７】本発明に係る噴口チップの更に他の実施形態を示し、その（Ａ）が噴口チップの正面図、その（Ｂ）が縦断面図、その（Ｃ）が背面図、その（Ｄ）が第２噴口チップの正面図、その（Ｅ）が側面図、その（Ｆ）が背面図である。
【発明を実施するための形態】
【００２８】
以下、添付の図面と共に本発明の一実施形態について説明する。
図１は、本発明の噴霧機構の噴口部構造に係る第１実施形態を示しており、その（Ａ）が噴霧機構である噴霧ボタンの全体縦断面図、その（Ｂ）が噴口チップの縦断面図、その（Ｃ）が（Ｂ）図の右側面図（噴口裏面側からみた図）である。
【００２９】
本発明においては、この図に示した噴口部構造において、図１（Ｃ）に示したように、噴口チップ１０の噴口１１の裏面側（噴霧方向Ｆと反対の側）に設けた８本の溝１２を設けた部分にその特徴が存する。
【００３０】
この図１（Ａ）に図示した噴霧機構である噴霧ボタン１は、図には表れていないエアゾール容器の上端に設けられている噴霧用ステム（バルブステム）に接続される。
この噴霧ボタン１は、その全体が略筒体形状を有し、その底面部略中央部には、上記噴霧用ステムと接続するステム接続部１４を有し、このステム接続部１４がエアゾール容器内の内容液を流通させる流通路１５の入口部となっている。
【００３１】
この流通路１５の出口部が噴口部１６を成し、この噴口部１６の外周部には、円環状の溝部１７が形成されており、この円環状の溝部１７内に噴口チップ１０の筒体部１０ｋが嵌合する。
換言すると、上記噴口部１６は、円柱形状を有し、その外周部が前記流通路１５の横方向流通路となっており、この横方向流通路が上記の円環状の溝部１７となっている。
【００３２】
他方、噴口チップ１０は、その全体が略有底筒状の形状を有し、その底面部である前端面１０ｆの中心部に貫通孔が設けられ、この貫通孔が噴口１１となる。
そして、前端面１０ｆと反対側である後方側の開口部１０ｈから前記前端面１０ｆまで円柱状の孔部が形成されており、この円柱状孔部の内周側面には、その長手方向に突条１８が複数（この実施形態では４つ）設けられ、前記前端面１０ｆの裏面（前記底面部の内壁）には、８本の溝１２が形成されている。
【００３３】
上記８本の溝１２の中心部側には、凹所１３が形成されており、前記８本の溝１２の中心部側がこの凹所１３に連続している。
そして、それぞれの溝１２の中心部側は、凹所１３の中心には向かわずに、その凹所１３の周側にずれた状態に設けられている。
即ち、これらの溝１２は、凹所１３の接線方向に向かって延長する状態に設けられている。
【００３４】
これらの溝１２を設けることにより、噴霧される内容液は、噴口１１から外界へと螺旋状に又はスクリュー状に旋回しつつ噴霧され、その噴霧パターンは、噴口から略円錐形状に、その横断面もほぼ真円に近い形で噴霧されることになる。
また、この噴霧パターンの正確さと共に、噴霧される粒子の粒径もより小さく、密度も濃く、よりソフトな噴霧が可能となるのである。
【００３５】
尚ここで、上記複数の溝１２は、噴口チップ１０の前端面１０ｆの裏面側に設けたが、この複数の溝１２を、上記噴霧ボタン１の噴口部１６の前端面の側に設けて実施することも当然可能である。
【００３６】
次に、上記噴霧機構の噴口部構造の噴霧状態についての実験結果を以下に説明する。
従来例及び比較例となる噴口部構造については、図２及び図３に図示する。
【００３７】
図２は、従来の噴霧機構を図示しており、その（Ａ）が噴霧機構である噴霧ボタンの全体縦断面図、その（Ｂ）が噴口チップの縦断面図、その（Ｃ）が（Ｂ）図の右側面図（噴口裏面側からみた図）である。
【００３８】
この従来例においては、図２（Ｃ）から解る通り、噴口チップ２０の噴口１１が設けられた前端面１０ｆの裏面側（噴霧方向Ｆと反対の側）には、４本の溝１２が設けられており、この溝の数が上記本発明の実施形態の構成と異なる。その他の構成は、上記本発明と同じである。
【００３９】
即ち、この図２（Ａ）に図示した噴霧機構である噴霧ボタン２は、図には表れていないエアゾール容器の上端に設けられている噴霧用ステム（バルブステム）に接続される。
この噴射ボタン２は、その全体が略筒体形状を有し、その底面部略中央部には、上記噴霧用ステムと接続するステム接続部１４を有し、このステム接続部１４がエアゾール容器内の内容液を流通させる流通路１５の入口部となっている。
【００４０】
この流通路１５の出口部が噴口部１６を成し、この噴口部１６の外周部には、円環状の溝部１７が形成されており、この円環状の溝部１７内に噴口チップ２０の筒体部１０ｋが嵌合する。
換言すると、上記噴口部１６は、円柱形状を有し、その外周部が前記流通路１５の横方向流通路となっており、この横方向流通路が上記の円環状の溝部１７となっている。
【００４１】
他方、噴口チップ２０は、その全体が略有底筒状の形状を有し、その底面部である前端面１０ｆの中心部に貫通孔が設けられ、この貫通孔が噴口１１となる。
そして、後方側の開口部１０ｈから前記前端面１０ｆまで円柱状の孔部が形成されており、この円柱状孔部の内周側面には、突条１８が設けられ、前記底面部である前端面１０ｆの裏面には、４本の溝１２が形成されている。
【００４２】
上記４本の溝１２の中心部側には、凹所１３が形成されており、前記４本の溝１２の中心部側がこの凹所１３に連続している。
そして、それぞれの溝１２の中心部側は、凹所１３の中心には向かわずに、その凹所１３の周側にずれた状態に設けられている。
即ち、これらの溝１２は、凹所１３の接線方向に向かって延長する。
【００４３】
図３は、比較例としての噴霧機構を図示しており、その（Ａ）が噴霧機構である噴霧ボタンの全体縦断面図、その（Ｂ）が噴口チップの縦断面図、その（Ｃ）が（Ｂ）図のＣ−Ｃ線断面図である。
【００４４】
この比較例においては、図２（Ａ）及び（Ｂ）から解る通り、噴口チップ３０が２つのパーツから形成されている。
つまり、略有底筒体形状の噴口チップ３０ａとその内部に配置される第２噴口チップ３０ｂとから形成されている。
【００４５】
この図３（Ａ）に図示した噴霧機構である噴霧ボタン３は、図には表れていないエアゾール容器の上端に設けられている噴霧用ステム（バルブステム）に接続される。
この噴霧ボタン３は、その全体が略筒体形状を有し、その底面部略中央部には、上記噴霧用ステムと接続するステム接続部１４を有し、このステム接続部１４がエアゾール容器内の内容液を流通させる流通路１５の入口部となっている。
【００４６】
この流通路１５の出口部が噴口部１６を成し、この噴口部１６は略円柱形状の孔部から成る。
この噴口部１６の内部に上記噴口チップ３０ａと第２噴口チップ３０ｂが嵌合する。
【００４７】
他方、噴口チップ３０ａは、その全体が略有底筒体形状を有し、その前端面１０ｆの中心部に貫通孔が設けられ、この貫通孔が噴口１１となる。
そして、後方側の開口部１０ｈから前記前端面１０ｆまで円柱状の孔部が形成されており、この円柱状孔部の中に、前記第２噴口チップ３０ｂが内蔵される。
【００４８】
この第２噴口チップ３０ｂは、その全体が略円柱形状を有し、その前端面に４本の放射状の又は螺旋状の溝１２が形成されている。
これら４本の溝１２の中心部には凹所１３が形成され、４本の溝１２は、前記凹所１３の接線方向に延長する。
【００４９】
また、前記４本の溝１２の外側端部には、流通路３９が第２噴口チップ３０ｂの外周面の長手方向に設けられ、内容液の流通路である横方向流通路１９と連通している。
【００５０】
更に、この第２噴口チップ３０ｂの後方側端面には、前方方向に向かって孔部３０ｈが形成され、この孔部３０ｈは、内容液の流通路である横方向流通路１９の出口と対面している。
即ち、内容液は、横方向流通路１９を通り、その後、一旦上記孔部３０ｈ内に貯留し、その後流通路３９を通過して前記４本の溝１２へと流通するのである。
このように孔部３０ｈを設けることにより、外界に噴霧される内容液はよりソフトな噴霧となる。
【００５１】
また、この比較例においては、溝１２の形態が上記従来例と異なっている。
即ち、この溝１２は、その中心部側でその幅が狭く、その外周部側でその幅が広く形成されている。
【００５２】
以上説明した本発明に係る噴霧機構、従来例、及び比較例に関して噴霧実験を行い、その噴霧量、粒子径、及び噴射パターンについて測定し、比較を行った。
その結果を以下の表１に示している。
【００５３】
内容液は、精製水を使用し、試験体である容器は、同一のバルブ及び同一のアルミ缶を使用した。  
缶体内圧は、０．２０、０．４０、０．８０ＭＰａに設定して、測定を行った。
その結果が表１である。
表中、従来例１・２、比較例１・２、本発明１・２とあるのは、噴口径や溝の深さ等を多少異ならせたものの２タイプを試験対象としたためである。基本構造はそれぞれ同じものである。
【００５４】
【表１】
2018058063.tif 000003
【００５５】
この表から解る通り、噴霧量においても、本発明に係る噴霧機構は、従来例よりも勝っており、その粒子径においても、従来例を凌駕し、その噴霧パターンにおいては、従来例及び比較例と比較しても明確な相違があり、本発明においては、その噴霧パターンが噴口からの距離が５ｃｍ及び１０ｃｍの位置での横断面形状がほぼ真円となっており、ほぼ正確な円錐形状になっていることが見て取れるものである。
【００５６】
以上、本発明の第１実施形態について説明したが、本発明においては以下の通り、種々設計変更することができる。
【００５７】
先ず、本発明の上記実施形態に係る噴口部構造は一つの噴口チップを有するものを例示した。
つまり、略円筒形状の噴口チップを噴霧機構の噴口部に嵌合しており、その８本の溝は、噴口チップの前端面（底面部）の裏面側（内壁）に設けていたが、この溝は、嵌合される噴霧機構の噴口部の前端面に形成することもできる。
【００５８】
他方、この噴口チップは、上記比較例のように噴口チップの内部に第２噴口チップを内蔵するものであってもよい。つまり、噴口チップは、ツーピースから形成することもできる。
換言すると、噴口チップの内部に第２噴口チップを内蔵して、この第２噴口チップの前端面に複数の溝を形成しても同様の効果を発揮させることができる。
【００５９】
勿論、このツーピースタイプのものであっても、上記複数の溝を噴口が設けられた噴口チップの前端面の裏面に設けてもよいことは当然である。
更に、内蔵される第２噴口チップの後方端面に孔部を形成し、この孔部に噴霧機構の横方向流通路の出口を対面させることが極めて望ましい。
外界に噴霧される霧をよりソフトに噴霧させるためである。
【００６０】
また、溝の数も上記実施形態では、８本設けたが、この溝は、８本でなく、６本以上であればその効果が認められている。
溝の幅及び深さも適宜必要に応じて、設計変更することができる。
【００６１】
本発明に係る噴霧機構の噴口部構造は、上記エアゾール容器ばかりでなく、ポンプ式の噴霧機構においても適用することができる。
また、噴霧機構に関しても、上記実施形態のような押しボタン形式でなく、トリガー式の噴霧機構であってもよい。
本発明の噴霧機構は、化粧用スプレー、ヘアケア用スプレー、衣料用スプレー、洗浄剤用スプレー、芳香・消臭剤用スプレー等々、各種の噴霧容器の噴霧機構として利用することができる。
【００６２】
次に、本発明に係る噴口部構造の他の実施形態について更に具体的に説明する。
図４は、本発明の噴口部構造に係る第２実施形態を示しており、その（Ａ）が噴霧機構２２の全体縦断面図、その（Ｂ）が噴口チップ４２を取り除いた状態の噴霧ボタン２２ｂの正面図、その（Ｃ）が噴口チップ４２の縦断面図、その（Ｄ）が（Ｃ）図の右側面図である。
【００６３】
この第２実施形態に係る噴口部構造は、前記第１実施形態において８本の溝１２を噴口チップの前端面の内側（内壁）に設けていたものを、噴霧ボタン２２ｂの噴口部１６の前端面に形成したものである。
その他の構成は、前記第１実施形態の噴口部構造と同じである。
このように、上記８本の溝１２は、噴口チップ１０の前端裏面（第一実施形態）、又は、噴霧ボタンの噴口部１６の前端面の何れか一方に設けることができる。
【００６４】
図５は、本発明の噴口部構造に係る第３実施形態を示しており、その（Ａ）が噴霧機構２３の全体縦断面図、その（Ｂ）が噴口チップ４３の上部切欠斜視図、その（Ｃ）が噴口チップ４３の縦断面図、その（Ｄ）が（Ｃ）図の右側面図である。
【００６５】
この第３実施形態に係る噴口部構造は、前記第１実施形態のものとその基本構造が同じであって、更に、その第１実施形態に係る噴口チップの内側周側面の長手方向にフィルター機能を有する溝条部７を複数、この第３実施形態では１６本等間隔に形成したものである。
【００６６】
上記溝条部７は、フィルター機能を付加させるために、噴口チップ４３の前端面の裏面に設けた８本の溝１２の最小溝幅よりも狭い溝幅に形成する。
この溝幅というのは、溝１２を正面（或いは裏面）から見た際の横幅である。
この溝条部７の溝幅を溝１２の溝幅よりも狭くすることにより、フィルター機能が付加されることとなる。
【００６７】
図６は、本発明の噴口部構造に係る第４実施形態を示しており、その（Ａ）が噴霧ボタン２４ｂの一部切欠斜視図、その（Ｂ）が噴口チップ４４の縦断面図、その（Ｃ）が（Ｂ）図の右側面図である。
【００６８】
この第４実施形態に係る噴口部構造は、前記第３実施形態で付加したフィルター機能を有する溝条部７を、噴霧ボタン２４ｂの噴口部１６の外周側面の側に設けたものである。
即ち、上記溝条部７は、噴霧ボタン２４ｂの略円柱形状を有する噴口部１６の外周側面の長手方向に等間隔に設けたものである。
【００６９】
当然ながら、上記溝条部７は、フィルター機能を付加させるために、噴口チップ４４の前端面の裏面（内壁）に設けた８本の溝１２の最小溝幅よりも狭い溝幅に形成する。
その他の構成は、前記第３実施形態の噴口部構造と同じである。
このように、上記の溝条部７は、噴口チップの内周側面（第３実施形態）、又は、噴霧ボタン２４ｂの噴口部１６の外周側面の何れか一方に設けることができる。
【００７０】
図７は、本発明の噴口部構造に係る第５実施形態を示しており、その（Ａ）が噴霧ボタン２５ｂの正面図、その（Ｂ）が噴口チップ４５の縦断面図、その（Ｃ）が（Ｂ）図の右側面図である。
【００７１】
この第５実施形態に係る噴口部構造は、前記図５に示した第３実施形態において、噴口チップの前端面の裏面に設けた８本の溝１２を噴霧ボタン２５ｂの円柱形状の噴口部１６の前端面に形成したものである。
その他の構成は、上記第３実施形態のものと同じである。
この第５実施形態においても、噴口チップ４５の内周側面に設けた複数の溝条部７がフィルター機能を発揮する。
【００７２】
図８は、本発明の噴口部構造に係る第６実施形態を示しており、その（Ａ）が噴霧ボタン２６ｂの正面図、その（Ｂ）が噴口チップ４６の縦断面図、その（Ｃ）が（Ｂ）図の右側面図である。
【００７３】
この第６実施形態に係る噴口部構造は、前記第５実施形態において、噴口チップの内側周側面に設けた溝条部７を噴霧ボタン２６ｂの円柱形状の噴口部１６の周側面の外周の長手方向に等間隔に複数形成したものである。
その他の構成は、上記第５実施形態のものと同じである。
この第６実施形態においても、噴霧ボタン２６ｂの円柱形状の噴口部１６の外周側面の長手方向に設けた複数の溝条部７がフィルター機能を発揮する。
【００７４】
図９は、本発明の噴口部構造に係る第７実施形態を示し、そのその（Ａ）が噴霧機構２７の縦断面図、その（Ｂ）が噴口チップ４７の縦断面図、その（Ｃ）が（Ｂ）図の右側面図である。  
この第７実施形態は、前記第１実施形態に係る噴口部構造と異なる部分は、噴口チップ４７の前端面の裏面に設けた溝１２及び溝条部７の構成が異なる。
【００７５】
即ち、上記第１実施形態においては、当該噴口チップの前端面の裏面には溝１２が８本のみ設けられていたが、この第７実施形態においては、この噴口チップ４７の前端面１０ｆの裏面に溝１２とフィルター機能を有する溝条部７との両方を共に設けている。
【００７６】
つまり、噴口チップ４７の前端面１０ｆの裏面の外周部分には溝条部７を１６本設け、その内側部分（前端面１０ｆの中央部分）には溝１２を８本設けている。
外周部分に設けた溝条部７の横幅は、中央部分に設けた溝１２の横幅よりも狭く形成し、フィルター機能を付与させている。
その他の構成は、上記第１実施形態のものと同じである。
【００７７】
図１０は、本発明の噴口部構造に係る第８実施形態を示しており、その（Ａ）が噴霧ボタン２８ｂの正面図、その（Ｂ）が噴口チップ４８の縦断面図、その（Ｃ）が（Ｂ）図の右側面図である。
この第８実施形態は、上記第７実施形態において溝１２と溝条部７を噴口チップの前端面の裏面に設けていたが、これらを噴霧ボタン２８ｂの噴口部１６の前端面に設けたものである。
その他の構成は、上記第７実施形態のものと同じである。
【００７８】
以下の実施形態においては、噴口チップがその内部に第２噴口チップを内蔵するツーピースから成るものの例である。
図１１は、本発明の噴口部構造に係る第９実施形態を示しており、その（Ａ）が噴霧機構２９の分解図、その（Ｂ）が縦断面図、その（Ｃ）が噴口チップの正面図、その（Ｄ）が縦断面図、その（Ｅ）が背面図、その（Ｆ）が第２噴口チップの正面図、その（Ｇ）が側面図、その（Ｈ）が背面図である。
【００７９】
この第９実施形態は、噴口チップがツーピースのものから成り、つまり、噴口チップ４９ａとその内部に第２噴口チップ４９ｂを内蔵するタイプのものである。
噴口チップ４９ａは有底筒体形状を有してその底面部（前端面）を前方に配置し、その内部に略円柱形状の第２噴口チップ４９ｂを内蔵している。
【００８０】
第２噴口チップ４９ｂの前端面と後端面にはそれぞれ８本の溝１２が螺旋状に配設されており、その中央部には凹所１３が設けられている。
噴霧ボタン２９ｂの横方向流通路１９の出口部には噴口部１６が形成され、この実施形態ではこの噴口部１６は、略円柱形状の孔部から成る。
【００８１】
従って、この第９実施形態では、エアゾール容器の内容液は、ステム接続部１４から縦方向流通路１５、横方向流通路１９を流通して、第２噴口チップ４９ｂの後端面に設けられた溝１２により左旋回しつつ第２噴口チップ４９ｂの外周部の間隙を通過してその前端面に設けられた溝１２により更に左旋回を継続して噴口１１から外界に噴霧されることとなる。
尚、この第９実施形態においては、フィルター機能を有する溝条部は設けられていない。
また、第２噴口チップ４９ｂの両端面に設けた８本の溝１２は、その後端面側の溝１２を設けずに実施することもできる。
【００８２】
図１２は、本発明の噴口部構造に係る第１０実施形態を示しており、その（Ａ）が噴霧機構５０の分解図、その（Ｂ）が縦断面図、その（Ｃ）が噴口チップの正面図、その（Ｄ）が縦断面図、その（Ｅ）が背面図、その（Ｆ）が第２噴口チップの正面図、その（Ｇ）が側面図、その（Ｈ）が背面図である。
【００８３】
この第１０実施形態は、上記第９実施形態のものと同様の構成であって、溝１２を設ける部位が第９実施形態と異なり、これに加えてフィルター機能を有する溝条部７を付加したものである。
即ち、８本の溝１２は、噴口チップ５０ａの前端面１０ｆの裏面に設け、また、フィルター機能を有する溝条部７も前記溝１２の外側端部に接続するように８本、噴口チップ５０ａの内周側面の長手方向に設けたものである。
その他の構成は上記第９実施形態と同じである。
【００８４】
図１３は、本発明の噴口部構造に係る第１１実施形態を示しており、その（Ａ）が噴霧機構５１の分解図、その（Ｂ）が縦断面図、その（Ｃ）が噴口チップの正面図、その（Ｄ）が縦断面図、その（Ｅ）が背面図、その（Ｆ）が第２噴口チップの正面図、その（Ｇ）が側面図、その（Ｈ）が背面図である。
【００８５】
この第１１実施形態は、上記第１０実施形態のものと同様の構成であって、フィルター機能を有する溝条部７を付加した部位が異なるものである。
即ち、フィルター機能を有する８本の溝条部７は、略円柱形状の第２噴口チップ５０ｂの外周側面の長手方向に、噴口チップ５１ａの前端面裏面に設けた溝１２の端部と接続するように８本設けられたものである。
その他の構成は上記第１０実施形態と同じである。
【００８６】
図１４は、本発明の噴口部構造に係る第１２実施形態を示しており、その（Ａ）が噴霧機構５２の分解図、その（Ｂ）が縦断面図、その（Ｃ）が噴口チップの正面図、その（Ｄ）が縦断面図、その（Ｅ）が背面図、その（Ｆ）が第２噴口チップの正面図、その（Ｇ）が側面図、その（Ｈ）が背面図である。
【００８７】
この第１２実施形態は、上記第９実施形態のものと同様の構成であって、フィルター機能を有する溝条部７を設けた部位が異なるものである。
即ち、フィルター機能を有する８本の溝条部７は、噴口チップ５２ａの内部の周側面の長手方向に８本設けられ、その両端部は、第２噴口チップ５２ｂの前端面及び後端面に設けられた溝１２の端部と接続するように設けられたものである。
その他の構成は上記第１０実施形態と同じである。
尚、この第２噴口チップ５２ｂの両端面に設けた８本の溝１２は、その前端面のみに形成したものであってもよい。
【００８８】
図１５は、本発明の噴口部構造に係る第１３実施形態を示しており、その（Ａ）が噴霧機構５３の分解図、その（Ｂ）が縦断面図、その（Ｃ）が噴口チップの正面図、その（Ｄ）が縦断面図、その（Ｅ）が背面図、その（Ｆ）が第２噴口チップの正面図、その（Ｇ）が側面図、その（Ｈ）が背面図である。
【００８９】
この第１３実施形態は、上記図１１に示した第９実施形態のものと同様の構成であって、フィルター機能を有する溝条部７を更に付加したものである。
即ち、フィルター機能を有する８本の溝条部７は、第２噴口チップ５３ｂの外周の周側面の長手方向に８本設けられ、その両端部は、第２噴口チップ５３ｂの前端面及び後端面に設けられた溝１２の端部と接続するように設けられたものである。
その他の構成は上記第９実施形態と同じである。
尚、この第２噴口チップ５３ｂの両端面に設けた８本の溝１２は、その前端面のみに形成したものであってもよい。
【００９０】
図１６は、本発明に係る噴口チップの他の実施形態を示しており、その（Ａ）が噴口チップの正面図、その（Ｂ）が縦断面図、その（Ｃ）が背面図、その（Ｄ）が第２噴口チップの正面図、その（Ｅ）が側面図、その（Ｆ）が背面図である。
これらの図に示した噴口チップはツーピースから成り、噴口チップ５４ａの内部に第２噴口チップ５４ｂが内蔵されている。
【００９１】
即ち、有底筒体形状を有する噴口チップ５４ａの内部空間内に略円柱形状の第２噴口チップ５４ｂが嵌合し、組み込まれる。
図には示していないが、第２噴口チップ５４ｂの外周側面と噴口チップ５４ａの内周側面には隙間が設けられ、噴霧される内容液の流通路が形成されている。
【００９２】
噴口チップ５４ａの前端面の裏面には８本の溝１２と、フィルター機能を有する複数の溝条部７が形成されている。
上記溝１２は、噴口チップ５４ａの前端面の裏面の中央部に設けられ、その外周部に溝条部７が設けられる。
【００９３】
この実施形態では、上記溝条部７は、１６本形成され、溝条部７の横幅は、上記溝１２の横幅よりも狭く形成し、フィルター機能を発揮することができる。
【００９４】
図１７は、本発明に係る噴口チップの更に他の実施形態を示し、その（Ａ）が噴口チップの正面図、その（Ｂ）が縦断面図、その（Ｃ）が背面図、その（Ｄ）が第２噴口チップの正面図、その（Ｅ）が側面図、その（Ｆ）が背面図である。
前図１６では、溝１２及び溝条部７が噴口チップの側に設けられていたが、この図１７の実施形態では、第２噴口チップ５５ｂの前端面及び後端面の両面に設けている。
【００９５】
その中央部には溝１２を８本、その外側には溝条部７を１６本形成し、後者の横幅を前者の横幅より狭く形成し、フィルター機能を付加している。
これらの溝１２及び溝条部７は、第２噴口チップ５５ｂの前端面にのみ設けたものであってもよい。
【００９６】
以上の通り、各種の実施形態について説明したが、噴口チップとしてワンピースのものにあっては、その８本の溝１２を噴口チップの側又は噴霧ボタンの側の何れか一方の側に設けることができ、且つ、フィルター機能を有する溝条部も同様に噴口チップの側又は噴霧機構の側の何れかの側に設けることができる。
【００９７】
他方、噴口チップがツーピースのものから成る場合においても、８本の溝１２は噴口チップの側又は第２噴口チップの側の何れか一方の側に設けることができ、同様に、フィルター機能を有する溝条部も噴口チップ又は第２噴口チップの側の何れかの側に設けることができる。
更に、溝１２と溝条部７は、同じ端面の中央部とその外周部分の同じ端面に配置して設けることもできるものである。
【００９８】
以上、本発明においては、噴霧パターンをより正確な略円錐形状とし、噴霧粒子をより細かくするための複数の溝を噴口チップ、第２噴口チップ或いは噴霧機構の噴口部の端面に設け、更には、フィルター機能を有する溝条部も噴口チップの内周壁面、第２噴口チップの外周面、若しくは、噴霧機構の噴口部の内周壁面又は外周側面部に設けたことを特徴とする噴霧機構を創案することができた。
【符号の説明】
【００９９】
１、２、３  噴霧ボタン
７  溝条部
１０、２０、３０、３０ａ、４２、４３、４４、４５．４６、４７、４８、４９ａ、５０ａ、５１ａ、５２ａ、５４ａ  噴口チップ
１０ｆ  前端面
１０ｋ  筒体部
１１  噴口
１２  溝
１３  凹所
１４  ステム接続部
１５  流通路
１６  噴口部
１７  溝部（円環状の）
１８  突条部
１９  横方向流通路
２２、２３、２７、２９、５０、５１、５２、５３  噴霧機構
３０ｂ、４９ｂ、５０ｂ、５２ｂ、５３ｂ、５４ｂ、５５ｂ  第２噴口チップ
２２ｂ、２３ｂ、２４ｂ、２５ｂ、２６ｂ、２８ｂ、２９ｂ  噴霧ボタン
３０ｈ  孔部
３９  流通路
【図１】
2018058063.tif 000004
【図２】
2018058063.tif 000005
【図３】
2018058063.tif 000006
【図４】
2018058063.tif 000007
【図５】
2018058063.tif 000008
【図６】
2018058063.tif 000009
【図７】
2018058063.tif 000010
【図８】
2018058063.tif 000011
【図９】
2018058063.tif 000012
【図１０】
2018058063.tif 000013
【図１１】
2018058063.tif 000014
【図１２】
2018058063.tif 000015
【図１３】
2018058063.tif 000016
【図１４】
2018058063.tif 000017
【図１５】
2018058063.tif 000018
【図１６】
2018058063.tif 000019
【図１７】
2018058063.tif 000020